(57)【要約】      （修正有）【課題】構造が簡単であり、携帯しやすく、実用的で効率的であるというメリットを有する保護フィルムにナノ複合材料回路を設けることにより、指が一端を押動すると生体電流が回路の他端に伝送され、携帯電話の非タッチ領域からタッチ領域を制御することを実現するゲーム機能を有する携帯電話保護フィルムを提供する。【解決手段】ゲーム機能を有する携帯電話保護フィルムであって、保護フィルム本体の構造が上中下の３層に分けられ、最上層が基材層であり、中間層がＩＴＯフィルムであり、最下層がＡＢ接着剤層であり、保護フィルム本体がＡＢ接着剤層により携帯電話のディスプレイに粘着され、保護フィルム本体に、ナノ複合材料回路を介してボタンに設けられる誘導層に電気的に接続される表示層が設けられている。【選択図】図２
2020048187.tif 000002
【特許請求の範囲】
【請求項１】
保護フィルム本体１を含み、前記保護フィルム本体の構造が上中下の３層に分けられ、なかでも、最上層が基材層１−１であり、中間層がＩＴＯフィルム１−２であり、最下層がＡＢ接着剤層１−３であり、前記保護フィルム本体がＡＢ接着剤層１−３により携帯電話のディスプレイに粘着され、前記保護フィルム本体１に、ナノ複合材料回路３を介してボタン４に設けられる誘導層に電気的に接続される表示層２が設けられていることを特徴とする、ゲーム機能を有する携帯電話保護フィルム。
【請求項２】
前記保護フィルム本体１に、２つの表示層２が設けられており、前記２つの表示層２にナノ複合材料回路３を介して、１つの誘導層付きボタンがそれぞれ接続されており、携帯電話の外部に、それに対応する保護カバーが装着されており、前記保護カバーに２つのボタンと対応する通し溝が開設されていることを特徴とする、請求項１に記載のゲーム機能を有する携帯電話保護フィルム。
【請求項３】
前記２つの表示層２が保護フィルム本体１の底部に設けられ、前記保護フィルム本体１の上下表面に１つのナノ複合材料回路３がそれぞれ設けられており、２つのナノ複合材料回路３の一端がそれぞれ、１つの表示層２に接続され、他端がそれぞれ、１つのボタンに接続されることを特徴とする、請求項２に記載のゲーム機能を有する携帯電話保護フィルム。
【請求項４】
前記誘導層がＰＥＴ材料層と、ＰＥＴ材料層に設けられる導電パターン層とからなり、前記導電パターン層が超低抵抗透明導電性フィルムから形成されることを特徴とする、請求項１に記載のゲーム機能を有する携帯電話保護フィルム。
【請求項５】
前記超低抵抗透明導電性フィルムの厚さが５〜１００ｎｍであり、好ましくは８〜１０ｎｍであることを特徴とする、請求項４に記載のゲーム機能を有する携帯電話保護フィルム。
【請求項６】
前記超低抵抗透明導電性フィルムは、
第１のＩＴＯ導電層と、
前記第１のＩＴＯ導電層の表面に設けられる第１の酸化防止層と、
前記第１の酸化防止層の前記第１のＩＴＯ導電層から離れる表面に設けられる金属層と、
前記金属層の前記第１の酸化防止層から離れる表面に設けられる第２の酸化防止層と、
前記第２の酸化防止層の前記金属層から離れる表面に設けられる第２のＩＴＯ導電層と、を備えることを特徴とする、請求項４に記載のゲーム機能を有する携帯電話保護フィルム。
【請求項７】
前記金属層が金層又は銀層であり、好ましくは、前記金属層の厚さが６ｎｍ〜１２ｎｍであることを特徴とする、請求項６に記載のゲーム機能を有する携帯電話保護フィルム。
【請求項８】
前記保護フィルム本体１の形状が携帯電話のディスプレイに対応することを特徴とする、請求項１に記載のゲーム機能を有する携帯電話保護フィルム。
【発明の詳細な説明】
【技術分野】
【０００１】
本発明は、保護フィルムに関し、詳しくは、ゲーム機能を有する携帯電話保護フィルムに関する。
【背景技術】
【０００２】
現在、携帯電話ゲームである銃撃戦ゲーム、例えば非常に人気のあるＰｌａｙｅｒＵｎｋｎｏｗｎ’ｓ  Ｂａｔｔｌｅｇｒｏｕｎｄｓが流行している。このようなゲームでは、携帯電話のハイスペック構成が必要であり、操作しにくく、エラートレラント率が低い。例えば、操作中の移動キー、方向キー、攻撃開始キー、シューティングキーの四つのキーに対して、極めて短い時間内に操作を同時に完成させることが要求されている。しかし、殆どの携帯電話において左右の親指しかで操作できないので、正確に押すことができず、誤操作する可能性が高い。
【先行技術文献】
【特許文献】
【０００３】
【特許文献１】特開2016-036126号公報
【発明の概要】
【発明が解決しようとする課題】
【０００４】
本発明の目的は、保護フィルムにナノ複合材料回路を設けることにより、指が一端を押動すると生体電流が回路の他端に伝送され、携帯電話の非タッチ領域からタッチ領域を制御することを実現させるゲーム機能を有する携帯電話保護フィルムを設計することである。
【課題を解決するための手段】
【０００５】
前記技術的課題を解決するために、本発明は、保護フィルム本体を含み、前記保護フィルム本体の構造が上中下の３層に分けられ、なかでも、最上層が基材層であり、中間層がＩＴＯフィルムであり、最下層がＡＢ接着剤層であり、前記保護フィルム本体がＡＢ接着剤層により携帯電話のディスプレイに粘着され、前記保護フィルム本体に、ナノ複合材料回路を介してボタンに設けられる誘導層に電気的に接続される表示層が設けられている、ゲーム機能を有する携帯電話保護フィルムを提供する。
【０００６】
さらに、前記保護フィルム本体に、２つの表示層が設けられており、前記２つの表示層にナノ複合材料回路を介して、１つの誘導層付きボタンがそれぞれ接続されており、携帯電話の外部に、それに対応する保護カバーが装着されており、前記保護カバーに２つのボタンと対応する通し溝が開設されている。
【０００７】
またさらには、前記２つの表示層が保護フィルム本体の底部に設けられ、前記保護フィルム本体の上下表面に１つのナノ複合材料回路がそれぞれ設けられており、２つのナノ複合材料回路の一端がそれぞれ、１つの表示層に接続され、他端がそれぞれ、１つのボタンに接続される。
【０００８】
またさらには、前記誘導層がＰＥＴ材料層と、ＰＥＴ材料層に設けられる導電パターン層とからなり、前記導電パターン層が超低抵抗透明導電性フィルムから形成される。
【０００９】
またさらには、前記超低抵抗透明導電性フィルムの厚さが５〜１００ｎｍであり、好ましくは８〜１０ｎｍである。
【００１０】
またさらには、前記超低抵抗透明導電性フィルムは、
第１のＩＴＯ導電層と、
前記第１のＩＴＯ導電層の表面に設けられる第１の酸化防止層と、
前記第１の酸化防止層の前記第１のＩＴＯ導電層から離れる表面に設けられる金属層と、
前記金属層の前記第１の酸化防止層から離れる表面に設けられる第２の酸化防止層と、
前記第２の酸化防止層の前記金属層から離れる表面に設けられる第２のＩＴＯ導電層と、を備える。
【００１１】
またさらには、前記金属層が金層又は銀層であり、好ましくは、前記金属層の厚さが６ｎｍ〜１２ｎｍである。
【００１２】
よりさらには、前記保護フィルム本体の形状が携帯電話のディスプレイに対応する。
【発明の効果】
【００１３】
上記構造を用いた後、本発明はコンデンサ式タッチ技術により、生体電流誘導により動作し、指が一端を押動すると生体電流が回路の他端に伝送され、携帯電話の非タッチ領域からタッチ領域を制御することを実現させる。その上、本設計は、構造が簡単であり、携帯しやすく、実用的で効率的であるというメリットをさらに有する。
【図面の簡単な説明】
【００１４】
【図１】図１は本発明の外形図である。
【図２】図２は保護フィルム本体の層構成図である。
【発明を実施するための形態】
【００１５】
以下に添付図面及び具体的な実施の態様を参照しながら、本発明をさらに詳説する。
【００１６】
図１及び図２に示すゲーム機能を有する携帯電話保護フィルムは、保護フィルム本体１を含み、前記保護フィルム本体の構造が上中下の３層に分けられ、なかでも、最上層が基材層１−１であり、中間層がＩＴＯフィルム１−２であり、最下層がＡＢ接着剤層１−３であり、前記保護フィルム本体がＡＢ接着剤層１−３により携帯電話のディスプレイに粘着され、前記保護フィルム本体１に、ナノ複合材料回路３を介してボタン４に設けられる誘導層に電気的に接続される表示層２が設けられている。本発明はコンデンサ式タッチ技術により、生体電流誘導により動作し、指が一端を押動すると生体電流が回路の他端に伝送され、携帯電話の非タッチ領域からタッチ領域を制御することを実現させる。
【００１７】
図１に示す保護フィルム本体１に、２つの表示層２が設けられており、前記２つの表示層２にナノ複合材料回路３を介して、１つの誘導層付きボタンがそれぞれ接続されており、携帯電話の外部に、それに対応する保護カバーが装着されており、前記保護カバーに２つのボタンと対応する通し溝が開設されている。
【００１８】
図１に示す２つの表示層２が保護フィルム本体１の底部に設けられ、前記保護フィルム本体１の上下表面に１つのナノ複合材料回路３がそれぞれ設けられており、２つのナノ複合材料回路３の一端がそれぞれ、１つの表示層２に接続され、他端がそれぞれ、１つのボタンに接続される。本設計は新規ナノ複合材料回路を介して携帯電話の保護フィルムに回線を貼り合わせて導き出し、タッチスクリーン外においてキーを押すようにし、左右の人差し指で操作して操作難易度とミスを低減させる。
【００１９】
前記誘導層がＰＥＴ材料層と、ＰＥＴ材料層に設けられる導電パターン層とからなり、前記導電パターン層が超低抵抗透明導電性フィルムから形成される。
【００２０】
前記超低抵抗透明導電性フィルムの厚さが５〜１００ｎｍであり、好ましくは８〜１０ｎｍである。
【００２１】
前記超低抵抗透明導電性フィルムは、前記第１のＩＴＯ導電層の表面に設けられる第１の酸化防止層と、前記第１の酸化防止層の前記第１のＩＴＯ導電層から離れる表面に設けられる金属層と、前記金属層の前記第１の酸化防止層から離れる表面に設けられる第２の酸化防止層と、前記第２の酸化防止層の前記金属層から離れる表面に設けられる第２のＩＴＯ導電層と、を備える。
【００２２】
前記金属層が金層又は銀層であり、好ましくは、前記金属層の厚さが６ｎｍ〜１２ｎｍである。
【００２３】
前記保護フィルム本体１の形状が携帯電話のディスプレイに対応する。
【図１】
2020048187.tif 000003
【図２】
2020048187.tif 000004